【事件の表示】
　特願２００４−　４８８２２「ラベルプリンタ」拒絶査定不服審判事件〔平成１７年　９月　８日出願公開、特開２００５−２３８５２４〕について、次のとおり審決する。
【結　論】
　本件審判の請求は、成り立たない。
【理　由】
第１　手続の経緯　
　本願は、平成１６年２月２４日の出願であって、平成１９年１月１９日に手続補正がなされ、同年１０月２５日付けで拒絶査定がなされ、これに対して、同年１１月２９日に拒絶査定不服審判が請求されるとともに、同年１２月２７日に手続補正がなされ、当審において、平成１９年１２月２７日付け手続補正が平成２２年１月２７日付けで却下され、同日付けで拒絶の理由（以下「当審拒絶理由」という。）が通知され、同年４月５日に手続補正がなされたものである。
　
第２　本願発明
　本願の請求項１ないし２に係る発明は、平成２２年４月５日付け手続補正によって補正された特許請求の範囲、明細書及び図面の記載からみて、その特許請求の範囲の請求項１ないし２に記載された事項によって特定されるものであるところ、請求項１に係る発明（以下「本願発明」という。）は、次のとおりのものである。
　
「ラベルプリンタには第１の編集アプリケーションが設けられ、
　第２の編集アプリケーションが設けられたコンピュータが当該ラベルプリンタに接続されて印刷が行なわれる場合には、
　前記第２の編集アプリケーションによって編集されたフォーマットのうち、罫線のイメージデータをビットマップデータとして展開し、
　テキスト形式のデータはＴｒｕｅＴｙｐｅフォントとしてデータを展開し、
　前記第２の編集アプリケーションを用いて、前記フォーマットをビットマップデータでラベル印刷用データとして前記ラベルプリンタに送ってラベルに印刷し、
　前記コンピュータが前記ラベルプリンタに接続されていない状態で印刷する場合には、
　前記第２の編集アプリケーションによって編集されたフォーマットの罫線のイメージデータと、前記テキスト形式のデータのテキストおよび位置のテキスト情報のデータを記憶した記憶媒体を介して前記ラベルプリンタに送り、
　前記第１の編集アプリケーションを用いて前記イメージデータをビットマップデータとして展開し、
　前記テキスト情報のデータをビットマップフォントとしてデータを展開し、
　展開した前記ビットマップデータに前記ビットマップフォントを貼り付けて、ラベル印刷用のデータを作成することで、前記第２の編集アプリケーションで編集したフォーマットとほぼ同様のフォーマットでラベルに印刷するとともに、
　前記ラベルプリンタは前記記憶媒体から読み出したデータのうち、前記テキスト情報のデータのテキストの書き換え機能を有する
　ことを特徴とするラベルプリンタ。」
　
第３　刊行物の記載事項
　当審拒絶理由で引用した「本願の出願前に頒布された刊行物である特表２００４−５０４６８２号公報（以下「引用例」という。）」には、図とともに次の事項が記載されている（下線は審決で付した。）。
　
１　「【０００１】
技術分野
本発明はプリンタ装置及びその使用方法の分野に関するものであり、ディジタル写真画像を印刷するスタンドアロンタイプのプリンタとの関連において特定的に開示される。
【０００２】
発明の背景
コンピュータの出現は、画像を記憶し、扱い、印刷する方法を基本的に変えた。現在、画像は、ディジタルカメラやスキャナのようなディジタルデバイスによって撮られ、ディジタル方式で記憶される。
ディジタル方式で記憶された画像は、次いでコンピュータプログラムを介して伝達され、改良され、扱われる
【０００３】
伝統的に、ディジタル画像を用いるには
コンピュータを必要とした
コンピュータは、ディジタル画像を伝達し、改良し、扱うための様々な異なるプログラムを搭載している
ディジタル画像のハードコピーを得るには、コンピュータから伝統的なプリンタへ“印刷ジョブ”を送るための適切な一連のコマンドを、ユーザがコンピュータに指令する
伝統的な方式は
高価であること、複雑であること、持ち運びできないことのような付随の欠点を有している
このような欠点に対処するために、
ディジタル画像を印刷するために設計されたスタンドアロンタイプのプリンタ
提供
の更なる利点及び改良点を提供する
【０００４】
発明の概要
したがって、本発明の目的は、改善された
スタンドアロンタイプのプリンタ
【０００５】
本発明の１つの実施態様は、同一頁に印刷される画像の選択可能なフォト改良を可能にするスタンドアロンタイプのプリンタを提供するものである。
【０００６】
本発明の他の実施態様は、動的に規定可能なユーザ・インターフェース及び機能性を備えたスタンドアロンタイプのプリンタを提供するものである。
【０００７】
本発明の更に他の実施態様は、テンプレートの規定及びテンプレートの印刷を可能にするスタンドアロンタイプのプリンタを提供するものであり、ここで、テンプレートは、１つ以上の画像、文章選択、図表ラインアート等を含む。
【０００８】
本発明の他の実施態様は、プロジェクト及び記憶設定を可能にするスタンドアロンタイプのプリンタを提供するものである。
【０００９】
本発明の更に他の特徴は、例示として本発明の実施のために企図される最良のモードの一つである好適な実施態様の下記説明から当業者に明らかになるであろう。十分に理解されるように、本発明は、それから全く逸脱することなく他の異なる、かつ明白な特徴を有する。したがって、図面及び説明は、本質的に例示であって限定的なものではない。
【００１０】
本明細書に組み込まれ、かつその一部を形成する添付の図面は、その説明と共に本発明の幾つかの特徴を示し、かつ、本発明の原理を説明するのに役立つ。
【００１１】
詳細な詳説明　
本発明の好適な実施態様について言及するが、その実施例は添付の図面において示され、図面を通して同一数字は同一要素を示す。図１は、フォトプリンタ１０の一実施態様を示す。ここで用いる“フォトプリンタ”とは、印刷可能な媒体上にディジタル写真を印刷するスタンドアロンタイプの装置を言う。ディジタル写真は、光検知電子デバイス（例えば、ＣＣＤ、ＣＭＯＳ、ＣＩＤ等）によって撮られ、コ
ンピュータで読取り可能な媒体に記憶可能なディジタルファイルに変換される写真画像
プリンタが、コンピュータのような外部のホストデバイスとは独立してディジタルファイルを処理し、かつ、印刷することができることを意味し、ここで“処理し”とは、印刷可能な媒体上に印刷され、対応するディジタルファイル（時には“リッピング”と言われ、すなわち印刷コードを形成することである）を表わす画素パターンを計算することを意味する。例えば、外部デバイスがディジタル写真をプリンタに単に転送するだけであり、プリンタがディジタル写真を処理し、かつ印刷するためのロジックを含む場合は、プリンタはスタンドアロンタイプである
ディジタル写真ではないテキストファイル、ワードプロセッサファイル、ＨＴＭＬファイル等のようなディジタルファイルを処理し、かつ印刷することができる
【００１２】
フォトプリンタ１０は、印刷可能な媒体（例えば、紙、光沢フィルム又は写真紙、インデックスカード、ラベル、封筒、透明紙、コーティング紙、布等）上にディジタル写真を印刷するように操作される
【００１３】
フォトプリンタ１０はスタンドアロンタイプのプリンタとして作動するが、それにも拘わらず様々な外部要素と接続可能であり
様々な異なる接続リンクの１つを用いて、フォトプリンタ１０がコンピュータに接続可能である。コンピュータ１２は、デスクトップ・コンピュータ、
ノートブック・コンピュータ等のような、従来の
コンピュータ
処理及び印刷のために、接続リンクを介してコンピュータ１２からディジタル写真を受け取ることができ
コンピュータ１２は印刷コードを形成するように（例えば、局所に搭載された印刷ドライバを介して）プログラムされ、フォトプリンタ１０は直接印刷するために、外部で処理された印刷コードを受け取ることができる。このように、フォトプリンタ１０は、外部デバイスからのコマンドを受け取る従来型のプリンタとしてだけでなく、スタンドアロンタイプのプリンタとしての二重機能を有する
【００１４】
本例では、
フォトプリンタ１０は、適当な接続リンクを用いて外部ディスプレイ１４（例えば、テレビ、モニタ、ＬＣＤ等）とも接続可能である。このような構成では、フォトプリンタ１０は、フォトプリンタ１０を操作し又はディスプレイ１４にディジタル写真を試写するためのユーザ・インターフェースを提供すべく信号を形成し送信する
【００１５】
フォトプリンタ１０は、コンピュータで読取り可能な媒体１８にも接続可能であり、ここではフロッピーディスクとして示される。コンピュータで読取り可能な媒体は、コンピュータによって読取り可能なプログラム、データファイル等のような情報を記憶する
【００１６】
フォトプリンタ１０は、好ましくは、
内部又は外部ドライブを用いてコンピュータで読取り可能な媒体１８とインターフェースで連結される
【００１７】
図２は、フォトプリンタ１０に対する好適な操作ブロック図２０である。１つ以上の
ディジタル写真２１が、フォトプリンタ１０の内部に配置された画像処理ブロック２２に入力される。ディジタル写真２１は、様々な異なるソースから受け取られ、フォトプリンタ１０の内部から又はドライブ、接続リンク等を介して外部ソースから受け取られる
【００１８】
画像処理ブロック２２は、印刷可能な媒体２６上に印刷され、対応するディジタル写真２１を表わする画素パターンの計算に対して応答し、この計算は、この分野において時として印刷コードの形成
ディジタル写真２１を改良してもよい
改良ソフトウエアを、画像処理２２に組み込んでも
画像処理２２は、テキスト、フレーム、テンプレート、スケーリングの追加等のような、ディジタル写真２１の印刷表現を修飾する様々な異なるリソースを任意に備えていてもよい
改良又はリソースは、ディジタル写真２１が印刷コードに変換される前及び／又は後に実行され
ユーザが画像処理ブロック２２と相互作用し及び／又はこれに指令を与えることができるように（例えば、改良及び／又はリソースを制御すること）、ユーザ・インターフェース２３が提供され
【００１９】
本発明の１つの実施態様では、ユーザ・インターフェース２３と画像処理ソフトウエア２２の機能性とは、動的に規定可能である。
フォトプリンタ内の機能は取外し可能なメモリを用いることによって拡張可能であり、
【００２０】
好ましくは、フォトプリンタの画像処理ソフトウエア２２は取外し可能な記憶メモリ媒体の追加を連続してモニタする。取外し可能な記憶メモリ媒体が挿入されると、画像処理ソフトウエア２２は取外し可能な記憶メモリ媒体の内容を確定するためにこれを走査する。好適な実施態様では、画像処理ソフトウエア２２は、取外し可能な記憶メモリ媒体に記憶されたファイルのファイルタイプの拡張を公知のファイルタイプの拡張と比較する。例えば、ディジタル画像ファイルを含むように、”ｔｉｆ”又は”ｊｐｇ”のファイル拡張が画像処理ソフトウエア２２によって解釈される。一方、”ｐｇｎ”のようなファイル拡張は、画像処理ソフトウエア２２及びフォトプリンタ装置１０に更なる機能性を付与するために、プラグ−インモジュールを含むように解釈される。好ましくは、取外し可能な記憶メモリ媒体がフォトプリンタシステムに挿入され又は取外される時はいつでも、画像処理ソフトウエア２２による解析が実行される。画像処理ソフトウエア２２が更なるリソースを検知すれば、画像処理ソフトウエア２２は、現在において利用可能なフォトプリンタ１０の更なる機能性に応答するために、適切なロケーションでユーザ・インターフェース２３を好適に修正するであろう。記憶媒体に情報を追加した結果、ユーザが介入することなしに、フォトプリンタに通常与えられる機能に新たな処理が加えられ、新たな命令処理に応答するために、ユーザ・インターフェースが更なるメニューリンクを形成する。機能性の動的追加は、画像改良プラグイン、プロジェクト記憶設定、テンプレート規定ファイル、文章フレーズ、図表、ならびに、ネットワーク又はインターネットの接続能力のようなユーティリティを含むことができる。動的に規定可能なユーザ・インターフェース２３とフォトプリンタ装置１０の機能性との利用により、フォトプリンタ１０の搬送能力が拡張される。
【００２１】
好ましくは、処理又はマクロの追加が含まれ、識別子が各メニューセグメントに関連付けられるように、フォトプリンタ内のメニューシステムが規定される。これらの識別子は、ロケーションを規定するためにフォトプリンタのソフトウエアによって使用され、記憶媒体における処理がユーザ・インターフェースに存在する特定のメニュー構造に結び付けられる。本質的には、識別子が可能性のあるロケーションを規定し、新たな処理が適切なメニュー構造内に含まれる。
【００２２】
図３は、本発明の好適な実施態様に係る例示的なユーザ・インターフェース２３を示す。フォトプリンタ１０のユーザは、ユーザ・インターフェース２３を介して、ディジタル画像に対する１つ以上のフォト改良の適用を選択することができる。例示的なスクリーン２３１により、ユーザはどのタイプの改良をディジタル画像に適用するかを選択できる。典型的な改良は、明るさ、コントラスト、カラー制御、大きさ変更及びプラグ−インを含む。プラグ−インとは、一般に、画像処理ソフトウエア２２に動的に加えられるフォト改良モジュール又はファイルを言う。これらのプラグ−インは、アドーべ（Ａｄｏｂｅ），インク（Ｉｎｃ）のＡｄｏｂｅ Ｐｈｏｔｏｓｈｏｐのプラグ−イン・モジュールと同様に機能する。典型的には、ホスト・アプリケーションは、標準化されたコールセットを含むアプリケーション・プログラマー・インターフェース（ＡＰＩ）によって、プラグ−イン・モジュールと交信する。プラグ−イン・モジュール内部で何が行なわれているかを知る必要なくプラグ−イン・モジュールと交信するために、ＡＰＩはホスト・アプリケーションに対して標準方法をセットアップする。アドーべ（Ａｄｏｂｅ）システムズ（Ｓｙｓｔｅｍｓ）インク（Ｉｎｃ）によるＡｄｏｂｅ Ｐｈｏｔｏｓｈｏｐ ＡＰＩは、アプリケーションとプラグ−イン・モジュールとの間の標準インターフェースとして広く用いられるようになっている。ユーザ・インターフェース・スクリーン２３１で“プラグ−イン”を選択すると、プラグ−イン・モジュール選択スクリーン２３２がユーザに提供される。このスクリーンは、典型的には、画像処理ソフトウエア２２の一部であるプラグ−イン・モジュールと、フォトプリンタのソフトウエアが形成された後に加えられたユーザによって規定可能なプラグ−イン・モジュールを含むであろう。取外し可能な記憶メモリ媒体がプラグ−イン・モジュールを含んでいなければ、ユーザ・インターフェース２３はスクリーン２３３に類似するであろう。１つ以上のプラグ−イン・モジュールを含む取外し可能な記憶メモリ媒体が挿入されると、ユーザ・インターフェース２３はスクリーン２３４に類似するであろう。スクリーン２３４は、ユーザによって規定可能で”Ｅｙｅ Ｃａｎｄｙ”と呼ばれるプラグ−イン・モジュールがインストールされており、かつ、選択において利用可能であることを示す。”Ｅｙｅ Ｃａｎｄｙ”を選択すると、ユーザ・インターフェース２３は、選択されたプラグ−イン・モジュールに対応する更なるスクリーン２３５を表示する。例示的なスクリーン２３５では、”Ｅｙｅ Ｃａｎｄｙ”のプラグ−イン・モジュールから３つの画像改良である３Ｄ Ｂｅｖｅｌ、Ｄｒｏｐ Ｓｈａｄｏｗ又はＣｕｔが選択可能である。改良の１つを選択すると、画像処理ソフトウエア２２が、プラグ−イン・モジュールを読取り、かつ、ディジタル画像を改良するためにＡＰＩコールを適用するであろう。
【００２３】
好ましくは、プラグ−イン・モジュールを含む取外し可能な記憶メモリ媒体がフォトプリンタシステムから取外されると、ユーザ・インターフェース２３は、例示的なスクリーン２３３に示されるような利用可能なオプションとしてプラグ−インを取除くであろう。
【００２４】
好適な実施態様では、取外し可能な記憶メモリ媒体は、フォトプリンタのユーザに利用可能な新たな処理のための複雑な命令セットから成るプラグ−イン・モジュールを含むＣｏｍｐａｃｔＦｌａｓｈメモリ媒体を含む。他の好適な実施態様では、プラグ−イン・モジュールは、ネットワーク又はインターネットからダウンロードされ、取外し可能な記憶メモリ媒体に記憶される。
【００２５】
本発明の他の実施態様は、ユーザ・インターフェース２３のユーザ設定とユーザ選択を記憶する能力である。典型的には、画像の選択、１つ以上の画像改良の適用、ならびに、所望の印刷出力の処理は、ユーザ・インターフェース２３を介した多数の選択を含む。ユーザが全く同じステップの繰返しを望むならば、ユーザは全ての選択を再記入しなければらない。本発明は選択シーケンスを記憶する能力を備え、これにより、ユーザは同じ処理をより容易に繰返すことができる。この能力は、コンピュータ・プログラム上でのマクロの保存と同様である。好適な実施態様では、ユーザは、画像選択、画像改良、印刷設定及び頁レイアウトの選択のための設定を記憶することができる。
【００２６】
好ましくは、ユーザの設定及び選択は、ユーザ・インターフェース２３を介してのユーザによる最初の入力である。ユーザが所望の選択を完了した後に、ユーザ・インターフェース２３を介して、この画像に対するユーザ・インターフェースの設定及び選択を、取外し可能な記憶メモリ媒体上、或いは、ネットワーク又はインターネットのロケーション上に記憶する機会がユーザに与えられる。設定の記憶が要求された後に、“プロジェクト”設定を後に回復するのに用いられる識別子を形成するようにユーザは求められる。ユーザは、“プロジェクト０１”のようなプリンタ選択名を選ぶことができ、又は、これらの選択名に対する特徴を記入することができる。次いで、プロジェクトは取外し可能な記憶メモリ媒体に記憶され、或いは、利用可能であればネットワーク又はインターネットのロケーションに記憶される。ユーザが希望すれば、プロジェクト設定は、命名されたプロジェクトをユーザ・インターフェース２３を介して選択することによって、取外し可能な記憶メモリ媒体、或いは、ネットワーク又はインターネットのロケーションから引き出される。１つの実施態様では、フォトディジタル原画像のファイルはプロジェクト設定で記憶される。これによって、元々のカメラ・メモリカード、或いは、ディジタル画像ファイルのみを含む他の記憶ロケーションを利用する必要なしに、ユーザは完全なプロジェクトファイルを引き出せる。他の実施態様では、メモリ記憶領域の使用を最小にするために、プロジェクトとしてユーザ選択のみが記憶される。この実施態様は、記憶デバイスに必要なメモリ記憶領域の量を最小にする。
【００２７】
好ましくは、様々なフォト原画像のファイルで、この記憶された設定を用いることができる。例えば、プロジェクトによって要求され新たなメモリカードに存在する多数の画像を提供する他のカメラ・メモリカードで、この同じプロジェクト設定を用いることができる。
【００２８】
他の実施態様では、プロジェクトは“アルバム”（”ａｌｂｕｍ”）の形成と共に組込まれる。好ましくは、アルバムはユーザ・インターフェース２３を介して形成される。アルバムは、好ましくは、特定の命令で印刷されるプロジェクトのリストから成る。特定のシーケンスに存在し命名されたアルバム識別子の下に保存される多くの保存プロジェクトが、アルバムによって選択可能となる。典型的には、ａｌｂｕｍの形成は取外し可能な記憶メモリ媒体に記憶されるプロジェクトのために支持される。他の実施態様では、アルバムファイルはネットワーク又はインターネットのロケーションに記憶可能である。次いで、ユーザは、ユーザ・インターフェースを介して命名されたアルバムを所望の時に引き出し、特定された命令でアルバムに頁を印刷する。
【００２９】
好適な実施態様では、フォトプリンタのプロジェクト及び設定の記憶能力は、画像改良と、テンプレート、フォント及びフレームを含む写真リソースとを含む。画像改良ソフトウエアは、フレーム、文章、頁の大きさ、図表画像、テンプレート及びアルバムに対する対象及びファイルの規定を含む。
【００３０】
本発明の更に他の実施態様では、フォトプリンタの画像改良ソフトウエアは、テンプレートの規定及びテンプレートの印刷を含む。テンプレートは、１つ以上の写真画像、ならびに、任意的には芸術的な画像及び／又は文章の選択の追加が、頁上で共に組込まれる印刷可能な頁フォーマットである。好ましくは、テンプレートは、挿入されるディジタル画像の図表ラインアート、文章及び配置を含む。テンプレートは、特別の時、季節、ビジネス等に関連付けられる。他の実施態様では、特別注文で専門用のテンプレートが、取外し可能な記憶メモリ媒体及び／又はネットワーク／インターネットの記憶ロケーションの使用を介して利用される。好ましくは、テンプレートは、ＰＣの知識を必要とせずに、ユーザ・インターフェース２３及びフォトプリンタ１０内において全て形成され、かつ印刷される。所望の頁レイアウトが、テンプレートのリストの下でユーザ・インターフェース２３から選択可能である。他の実施態様では、テンプレートファイルは、当業者に公知の適切なファイル編集を用いてＰＣで形成可能である。次いで、テンプレートファイルは、所望の時にフォトプリンタ・システムに転送され利用される。好ましくは、テンプレート印刷で利用される各ディジタル画像は、ディジタル画像のための、独立かつ別個の画像改良設定を有することができる。テンプレートは、１つ以上の単頁テンプレート、或いは、完全な複数頁テンプレートから成る。好ましくは、テンプレートは、ユーザ・インターフェース２３を介してテンプレートの印刷記載又は印刷試料に関連した識別子によって選択される。
【００３１】
好ましくは、ディジタルカメラからの未修正画像と画像処理ソフトウエア２２によって改良済みの画像の両方を含む１つ以上のディジタル写真画像であって、頁上において規定された場所に配置されるディジタル写真画像が、テンプレート又は頁レイアウト記載の各々によって選択される。テンプレートに対して頁上において前もって規定された各フォト位置に対して、その位置での印刷のためにフォト画像が選択される。テンプレートの規定は、フォト画像ファイルによって頁位置情報に関連付けられる。同様の方法で、背景又は他の図表画像がテンプレートを用いて慣例的に選択される。図表画像は、テンプレート選択の一部として含まれてもよく、テンプレートレイアウトが図表画像を含ませる機会を含むならば別個に選択されてもよい。同様にして、所望のように、かつ頁テンプレートで文章位置に関連するように文章メッセージが選択可能である。文章メッセージは様々な手段で選択可能であり、かつ、ユーザによって誰が記入したかが判る文章メッセージを含む。一度、文章メッセージが選択されテンプレート位置に関連付けられると、文章メッセージの物理的な位置、カラー、フォント及び大きさが確立される。
【００３２】
好適な実施態様では、頁の特徴の規定だけでなく、位置と、大きさと、位置における他の物理的な特徴とを示す情報に沿ったフォト画像の位置、背景のアート又は画像又は位置、ならびに、文章の位置の集合として各テンプレートが規定される。例えば、頁上におけるｎ個のフォト画像の各配置は、頁の原点の値から参照されるフォト画像位置、ならびに、印刷される画像の水平方向及び垂直方向の大きさとして規定される。０〜ｎ個の図表画像の各々は、ソース画像の位置又はインデックス、頁の原点の値から参照される頁上における画像位置、画像の水平方向及び垂直方向の大きさとして同様に記載される。同様に、０〜ｎ個の各文章メッセージは、連続した文章メッセージ、ならびに、頁の原点の値に関連し文章が配置される頁上の位置として記載される。
【００３３】
本発明の他の実施態様は、選択的な画像改良の能力を備えたフォトプリンタを含む。選択的な画像改良とは、同一頁に印刷される別個の画像を個々に改良する能力を意味する。アルゴリズム機能と画像操作機能の両方が、印刷するのに選ばれた写真に個々に適用可能である。アルゴリズム及び他の改良における異なる選択が、同一頁又は複数頁に印刷される写真に個々に適用可能である。典型的には、プリンタは、同一頁に印刷される全ての画像に一様に適用される同じ改良を必要とする。例えば、頁上にある４つの画像の１つに文章メッセージが加えられる場合、４つの全ての画像が同じ文章メッセージを有することになる。この実施態様により、ユーザは、同一頁に印刷される２つ以上の画像を異なる画像改良をもって改良することができる。印刷のために写真がまず選ばれ、次いで、所望の改良がこの写真に施される。好ましくは、印刷される写真は、ＣｏｍｐａｃｔＦｌａｓｈ ＳｍａｒｔＭｅｄｉａ（登録商標）のような選択されたメモリ媒体で利用可能な写真の全体品質から選択される。
【００３４】
図４は、本発明のフォトプリンタから印刷出力された試料を示す。図４は、改良された３つの画像ファイル（５０１〜５０３）と、改良されていない１つの対照画像ファイル（５０４）とを含む。画像５０１は、画像上に配置された選択可能な文章である”Ｈａｐｐｙ Ｂｉｒｔｈｄａｙ”による改良を備えたハートのディジタル画像である。同じ頁に印刷された画像５０２は、斜線パターン、ならびに、画像上に配置された選択可能な文章である”Ｃｏｎｇｒａｔｕｌａｔｉｏｎｓ”による改良を備えた円である。同じ頁に印刷された画像５０３は、画像上に配置された選択可能な文章である”Ｍｙ Ｖａｃａｔｉｏｎ”による改良を備えたディジタル写真である。同じ頁に印刷された画像５０４は、改良されていないディジタル画像である。好ましくは、画像のページ全体が形成されるまで、改良された個々の画像が記憶されるようにフォトプリンタはメモリバッファを用いる。
【００３５】
画像処理２２の間に生成される印刷コードは、印刷制御部２４に送られる。印刷コードが外部ソース（例えば、コンピュータ１２）から生成される場合、このような印刷コードは印刷制御部２４に直接入力２５され、画像処理ブロック２２を経由しない。印刷コードによって表わされる画素パターンの印刷可能な媒体２６への物理的な移動の指令に対して、印刷制御２４は応答する。
【００３６】
本発明の好適な実施態様についての上記説明は、例示及び説明の目的で示されている。本発明は、開示され尽くしたものではなく、かつ、開示された当にその形態に限定されるものではない。上述の教示の観点から、当業者にとっては多くの変更、修正及び改変が明らかであろう。したがって、本発明は、補正された請求の範囲の意図及び広い範囲内に含まれる全ての変更、修正及び改変を包含するものである。」
　
２　上記１からみて、引用例には、
「コンピュータを介して伝達され、改良され、扱われるディジタル方式で記憶された画像のハードコピーを得る伝統的な方式は、ディジタル画像を伝達し、改良し、扱うための様々な異なるプログラムを搭載しているコンピュータから伝統的なプリンタへ“印刷ジョブ”を送るための適切な一連のコマンドを、ユーザがコンピュータに指令する方式であり、高価で、複雑で、かつ持ち運びできない欠点を有していることから、このような欠点に対処するためにディジタル画像を印刷するために設計されたスタンドアロンタイプのプリンタが提供されているところ、更なる利点及び改良点を提供することを目的としたスタンドアロンタイプのプリンタであって、
　コンピュータのような外部のホストデバイスとは独立してディジタルファイルを処理（印刷可能な媒体上に印刷される対応するディジタルファイルを表わす画素パターンを計算、すなわち印刷コードを形成）し、かつ、印刷することができ、外部デバイスがディジタル写真をプリンタに単に転送するだけで、プリンタがディジタル写真を処理し、かつ印刷するためのロジックを含むスタンドアロンタイプのプリンタであり、
　ディジタル写真ではないテキストファイル、ワードプロセッサファイル、ＨＴＭＬファイル等のようなディジタルファイルを処理し、かつ印刷することができ、
　印刷可能な媒体（例えば、紙、光沢フィルム又は写真紙、インデックスカード、ラベル、封筒、透明紙、コーティング紙、布等）上にディジタル写真を印刷するように操作されるものであり、
　スタンドアロンタイプのプリンタとして作動するが、それにも拘わらず様々な外部要素と接続可能であり、様々な異なる接続リンクの１つを用いて、局所に搭載された印刷ドライバを介して印刷コードを形成するようにプログラムされたデスクトップ・コンピュータ、ノートブック・コンピュータ等のような従来のコンピュータに接続可能であり、コンピュータに接続された場合には、外部で処理された印刷コード、外部デバイスからのコマンドを受け取り、直接印刷する従来型のプリンタとしても機能することから、従来型のプリンタ及びスタンドアロンタイプのプリンタとしての二重機能を有するものであり、
　適当な接続リンクを用いて外部ディスプレイとも接続可能で、ディスプレイにディジタル写真を試写するためのユーザ・インターフェースを有し、
　内部又は外部ドライブを有し、該内部又は外部ドライブを用いてプログラム、データファイル等のような情報を記憶するコンピュータで読取り可能な媒体とインターフェースで連結され、該内部又は外部ドライブを介して外部ソースからディジタル写真を受け取るようになっており、
　内部に画像処理ブロックが配置されており、
　ユーザが前記画像処理ブロックと相互作用し及び／又はこれに指令を与えることができるように、ユーザ・インターフェースが提供されており、
　プリンタ内の機能は取外し可能なメモリを用いることによって拡張可能であり、
　前記画像処理ブロックは、印刷可能な媒体上に印刷される対応するディジタル写真を表わする画素パターンの計算、すなわち印刷コードの形成に対して応答するものであり、前記画像処理ブロックには、改良ソフトウエアを組み込んでもよく、テキスト、フレーム、テンプレート、スケーリングの追加等のような、ディジタル写真の印刷表現を修飾する様々な異なるリソースを備えていてもよく、前記改良又はリソースは、ディジタル写真が印刷コードに変換される前及び／又は後に実行されてもよく、
　前記画像処理ブロックで生成される印刷コードは印刷制御部に送られ、コンピュータで生成された印刷コードは前記画像処理ブロックを経由せず前記印刷制御部に直接入力され、前記印刷制御は印刷コードによって表わされる画素パターンの印刷可能な媒体への物理的な移動の指令に対して応答するようになっているプリンタ。」の発明（以下「引用発明」という。）が記載されているものと認められる。
　　
第４　対比
　本願発明と引用発明とを対比する。
１　引用発明のプリンタは、印刷可能な媒体、例えば、ラベル上に印刷するように操作されるものであるから、ラベルプリンタといえる。
　したがって、引用発明「プリンタ」は本願発明の「ラベルに印刷するラベルプリンタ」に相当する。
　
２　引用発明において、
　「ラベルプリンタ（プリンタ）」は、内部に画像処理ブロックが配置されており、
　前記画像処理ブロックは、印刷可能な媒体上に印刷される対応するディジタル写真を表わする画素パターンの計算、すなわち印刷コードの形成に対して応答するものであり、
　前記画像処理ブロックには、改良ソフトウエアを組み込んでもよく、テキスト、フレーム、テンプレート、スケーリングの追加等のような、ディジタル写真の印刷表現を修飾する様々な異なるリソースを備えていてもよく、前記改良又はリソースは、ディジタル写真が印刷コードに変換される前及び／又は後に実行されてもよいものであるから、
　引用発明の、改良ソフトウエアを組み込み、様々な異なるリソースを備えている画像処理ブロックは、本願発明の「第１の編集アプリケーション」に相当し、引用発明の「ラベルプリンタ」と本願発明の「ラベルプリンタ」とは「第１の編集アプリケーションが設けられ」ている点で一致する。
　
３　引用発明の「ラベルプリンタ（プリンタ）」は、スタンドアロンタイプのプリンタとして作動するが、それにも拘わらず様々な外部要素と接続可能であり、様々な異なる接続リンクの１つを用いて、局所に搭載された印刷ドライバを介して印刷コードを形成するようにプログラムされたデスクトップ・コンピュータ、ノートブック・コンピュータ等のような従来のコンピュータに接続可能であり、コンピュータに接続された場合には、外部で処理された印刷コード、外部デバイスからのコマンドを受け取り、直接印刷する従来型のプリンタとしても機能することから、従来型のプリンタ及びスタンドアロンタイプのプリンタとしての二重機能を有するものである。
　したがって、引用発明の「ラベルプリンタ」と本願発明の「ラベルプリンタ」とは、「コンピュータが当該ラベルプリンタに接続されて印刷が行なわれる場合には、データを展開したビットマップデータでラベル印刷用データとして前記ラベルプリンタに送ってラベルに印刷」する点で一致する。ここで、引用発明の「コンピュータ」、「処理」、「外部で処理された印刷コード」及び「外部で処理された印刷コード、外部デバイスからのコマンドを受け取り、直接印刷する従来型のプリンタとしても機能」が、それぞれ、本願発明の「コンピュータ」、「展開」、「データを展開したビットマップデータ」及び「ラベル印刷用データとして前記ラベルプリンタに送ってラベルに印刷」に相当する。
　
４　引用発明の「ラベルプリンタ（プリンタ）」は、内部又は外部ドライブを有し、該内部又は外部ドライブを用いてプログラム、データファイル等のような情報を記憶するコンピュータで読取り可能な媒体とインターフェースで連結され、該内部又は外部ドライブを介して外部ソースからディジタル写真を受け取るようになっており、コンピュータのような外部のホストデバイスとは独立してディジタルファイルを処理（印刷可能な媒体上に印刷される対応するディジタルファイルを表わす画素パターンを計算、すなわち印刷コードを形成）し、かつ、印刷することができ、外部デバイスがディジタル写真をプリンタに単に転送するだけで、プリンタがディジタル写真を処理し、かつ印刷するためのロジックを含むスタンドアロンタイプのプリンタであるから、本願発明の「ラベルプリンタ」と、「前記コンピュータが前記ラベルプリンタに接続されていない状態で印刷する場合には、記憶媒体を介して前記ラベルプリンタに送り、前記第１の編集アプリケーションを用いてデータを展開し、ラベル印刷用のデータを作成することで、ラベルに印刷する」点で一致する。ここで、引用発明の「コンピュータのような外部のホストデバイスとは独立して」、「コンピュータで読取り可能な媒体」、「該内部又は外部ドライブを介して外部ソースからディジタル写真を受け取る」及び「ディジタルファイルを処理（印刷可能な媒体上に印刷される対応するディジタルファイルを表わす画素パターンを計算、すなわち印刷コードを形成）」は、それぞれ、本願発明の「前記コンピュータが前記ラベルプリンタに接続されていない状態で」、「記憶媒体」、「記憶媒体を介して前記ラベルプリンタに送り、」及び「前記第１の編集アプリケーションを用いてデータを展開し、ラベル印刷用のデータを作成」に相当する。
　
５　上記１ないし４からみて、本願発明と引用発明とは、
「ラベルプリンタには第１の編集アプリケーションが設けられ、
　コンピュータが当該ラベルプリンタに接続されて印刷が行なわれる場合には、
　データを展開したビットマップデータでラベル印刷用データとして前記ラベルプリンタに送ってラベルに印刷し、
　前記コンピュータが前記ラベルプリンタに接続されていない状態で印刷する場合には、
　記憶媒体を介して前記ラベルプリンタに送り、
　前記第１の編集アプリケーションを用いてデータを展開し、ラベル印刷用のデータを作成することで、ラベルに印刷するラベルプリンタ。」である点で一致し、次の点で相違する。
　
相違点：
　本願発明では、コンピュータが当該ラベルプリンタに接続されて印刷が行なわれる場合には、コンピュータに第２の編集アプリケーションを設け、該第２の編集アプリケーションを用いて、罫線のイメージデータ及びテキスト形式のデータを含むフォーマットを編集し、そのうち、罫線のイメージデータをビットマップデータとして、テキスト形式のデータをＴｒｕｅＴｙｐｅフォントとして、それぞれ展開し、前記コンピュータが前記ラベルプリンタに接続されていない状態で印刷する場合には、前記第２の編集アプリケーションによってフォーマットを編集して、そのフォーマットの罫線のイメージデータと、前記テキスト形式のデータのテキストおよび位置のテキスト情報のデータを前記記憶媒体に記憶させるようにし、前記第１の編集アプリケーションを用いての展開では、前記イメージデータはビットマップデータとして、前記テキスト情報のデータはビットマップフォントとして、それぞれ展開し、展開した前記ビットマップデータに前記ビットマップフォントを貼り付けて、ラベル印刷用のデータを作成することで、前記第２の編集アプリケーションで編集したフォーマットとほぼ同様のフォーマットでラベルに印刷するとともに、前記ラベルプリンタは、前記記憶媒体から読み出したデータのうち、前記テキスト情報のデータのテキストの書き換え機能を有するのに対して、
　引用発明では、コンピュータに、イメージデータとして罫線も扱えるような編集アプリケーションが設けられているかどうかは明らかでなく、イメージデータが「ビットマップデータとして」展開されるかどうか、テキスト形式のデータが、コンピュータでは「ＴｒｕｅＴｙｐｅフォントとして」展開され、ラベルプリンタでは「ビットマップフォントとして」展開されるかどうかはいずれも明らかでなく、ラベル印刷用のデータを「展開した前記ビットマップデータに前記ビットマップフォントを貼り付けて」作成しているかどうかも、前記コンピュータが前記ラベルプリンタに接続されていない状態で印刷する場合に「前記第２の編集アプリケーションで編集したフォーマットとほぼ同様のフォーマットでラベルに印刷する」ようになっているかどうかも不明であるとともに、前記ラベルプリンタは「前記記憶媒体から読み出したデータのうち、前記テキスト情報のデータのテキストの書き換え機能を有する」かどうかも不明である点。
　
第５　判断
　上記相違点について検討する。
１　コンピュータに、罫線やテキストの編集機能を有するアプリケーション（例えば、Ｐｈｏｔｏｓｈｏｐ、一太郎、ワード等）を設け、該アプリケーションを用いて、表示を見ながら、罫線のイメージデータ及びテキスト形式のデータを含むフォーマットを編集し、罫線のイメージデータ及びテキスト形式のデータをそれぞれ展開して合成し、コンピュータに接続したプリンタにて印刷を行なわせることは、本願の出願前に周知慣用のことである（「一太郎１３　この一冊で一太郎の基本をマスター」２００３年２月５日　株式会社ジャストシステム発行　４６〜４７頁、９８〜９９頁の記載参照。）。
　
２　また、上記１で述べた「罫線やテキストの編集機能を有するアプリケーション（例えば、Ｐｈｏｔｏｓｈｏｐ、一太郎、ワード等）」を第２のコンピュータにも設けておき、第１のコンピュータで、前記アプリケーションを用いてフォーマットを編集して、そのフォーマットの罫線のイメージデータと、テキスト形式のデータのテキストおよび位置のテキスト情報のデータとを含む編集済みデータのファイルを第１のコンピュータのドライブ装置を介して記憶媒体に記憶させ、該記憶媒体を第２のコンピュータのドライブ装置に装着し、第２のコンピュータに設けた前記アプリケーションを用いて前記編集済みデータのファイルを開いて（データを読み出して）、表示させ、罫線のイメージデータと、テキスト形式のデータのテキストおよび位置のテキスト情報のデータとをそれぞれ展開して合成し印刷用のデータを作成することで、前記第１のコンピュータにおいて前記アプリケーション用いて編集したフォーマットとほぼ同様のフォーマットで印刷するとともに、必要に応じ、第２のコンピュータに設けた前記アプリケーションを用いて前記テキスト情報のデータのテキストを書き換えるなどの手直し（再編集）を行ってから印刷用のデータを作成して印刷することも、本願の出願前に周知慣用のことである（上記「一太郎１３　この一冊で一太郎の基本をマスター」２００３年２月５日　株式会社ジャストシステム発行　１０頁、１３〜２２頁、１１２〜１１３頁、１１５〜１１７頁の記載参照。）。
　
３　引用発明のコンピュータは、局所に搭載された印刷ドライバを介して印刷コードを形成するようにプログラムされたデスクトップ・コンピュータ、ノートブック・コンピュータ等のような従来のコンピュータであるから、上記１で述べた「罫線やテキストの編集機能を有するアプリケーション（例えば、Ｐｈｏｔｏｓｈｏｐ、一太郎、ワード等）」を設けることが可能であることは当業者に自明であり、引用発明の「ラベルプリンタ（プリンタ）」は、ディジタル写真ではないテキストファイル、ワードプロセッサファイル、ＨＴＭＬファイル等のようなディジタルファイルを処理し、かつ印刷することができるものであり、引用発明の「ラベルプリンタ（プリンタ）」内の機能は取外し可能なメモリを用いることによって拡張可能であり、かつ、引用発明の「第１の編集アプリケーション（画像処理ブロック）」は、改良ソフトウエアを組み込んでもよいものであるから、引用発明の「ラベルプリンタ（プリンタ）」に、上記１で述べた「罫線やテキストの編集機能を有するアプリケーション（例えば、Ｐｈｏｔｏｓｈｏｐ、一太郎、ワード等）」を設けても良いことは当業者に自明である。
　
４　さらに、「ＴｒｕｅＴｙｐｅフォント」及び「ビットマップフォント」は、いずれも本願の出願前に周知である（例．特開平７−３１１６６７号公報（【０００６】、【００２４】及び図１参照。）、特開平８−１１８７４９号公報（【０１０２】及び【０１０４】参照。）、特開平９−１７９９９３号公報（【０００２】参照。）、特開２０００−３０５７２６号公報（【００５５】参照。）、特開２００２−３５１４５１号公報（【０００２】及び【００１２】参照。））。
　
５　上記１ないし３からして、引用発明において、コンピュータに、罫線やテキストの編集機能を有するアプリケーション（例えば、Ｐｈｏｔｏｓｈｏｐ、一太郎、ワード等）を設け、該アプリケーションを用いて、表示を見ながら、罫線のイメージデータ及びテキスト形式のデータを含むフォーマットを編集し、罫線のイメージデータ及びテキスト形式のデータをそれぞれ展開して合成し、コンピュータに接続した「ラベルプリンタ（プリンタ）」にて印刷を行なわせ、「ラベルプリンタ」にも上記「罫線やテキストの編集機能を有するアプリケーション（例えば、Ｐｈｏｔｏｓｈｏｐ、一太郎、ワード等）」を設け、コンピュータで、前記アプリケーションを用いてフォーマットを編集して、そのフォーマットの罫線のイメージデータと、テキスト形式のデータのテキストおよび位置のテキスト情報のデータとを含む編集済みデータのファイルを前記コンピュータのドライブ装置を介して記憶媒体に記憶させ、該記憶媒体を「ラベルプリンタ」の内部又は外部ドライブに装着し、「ラベルプリンタ」に設けた前記アプリケーションを用いて前記編集済みデータのファイルを開いて（データを読み出して）、表示させ、罫線のイメージデータと、テキスト形式のデータのテキストおよび位置のテキスト情報のデータとをそれぞれ展開して合成し、印刷用のデータを作成することで、前記コンピュータにおいて前記アプリケーション用いて編集したフォーマットとほぼ同様のフォーマットで印刷するとともに、必要に応じ、「ラベルプリンタ」に設けた前記アプリケーションを用いて前記テキスト情報のデータのテキストを書き換えるなどの手直し（再編集）を行ってから印刷用のデータを作成して印刷するようになすことは、当業者が、上記１及び２の周知慣用技術に基づいて、容易になし得た程度のことである。
　そして、引用発明で、データを展開してビットマップデータのラベル印刷用データを作成していることからみて、上記罫線のイメージデータの展開については、ビットマップデータとして展開することが当業者に自明である。他方、上記テキスト情報のデータの展開について、コンピュータではＴｒｕｅＴｙｐｅフォントとして、「ラベルプリンタ」ではビットマップフォントとして、それぞれ展開するようにすることは、当業者が、上記４の周知技術に基づいて、適宜なし得た設計上の事項である。
　
６　上記５において、「コンピュータに設けた罫線やテキストの編集機能を有するアプリケーション（例えば、Ｐｈｏｔｏｓｈｏｐ、一太郎、ワード等）」、「コンピュータに、罫線やテキストの編集機能を有するアプリケーション（例えば、Ｐｈｏｔｏｓｈｏｐ、一太郎、ワード等）を設け、該アプリケーションを用いて、表示を見ながら、罫線のイメージデータ及びテキスト形式のデータを含むフォーマットを編集し、罫線のイメージデータをビットマップデータとして展開し、テキスト形式のデータをＴｒｕｅＴｙｐｅフォントとして展開し、合成して、コンピュータに接続したラベルプリンタにて印刷を行なわせ」、「ラベルプリンタに設けた罫線やテキストの編集機能を有するアプリケーション（例えば、Ｐｈｏｔｏｓｈｏｐ、一太郎、ワード等）」、「コンピュータで、前記アプリケーション用いてフォーマットを編集して、そのフォーマットの罫線のイメージデータと、テキスト形式のデータのテキストおよび位置のテキスト情報のデータとを含む編集済みデータのファイルを前記コンピュータのドライブ装置を介して記憶媒体に記憶させ、該記憶媒体をラベルプリンタの内部又は外部ドライブに装着し、ラベルプリンタに設けた前記アプリケーションを用いて前記編集済みデータのファイルを開いて（データを読み出して）、表示させ、罫線のイメージデータビットマップデータとして展開し、テキスト形式のデータのテキストおよび位置のテキスト情報のデータをビットマップフォントとしてデータを展開し、合成して、印刷用のデータを作成することで、前記コンピュータにおいて前記アプリケーション用いて編集したフォーマットとほぼ同様のフォーマットで印刷する」及び「必要に応じ、ラベルプリンタに設けた前記アプリケーションを用いて前記テキスト情報のデータのテキストを書き換えるなどの手直し（再編集）を行ってから印刷用のデータを作成して印刷する」は、それぞれ、本願発明の「コンピュータに設けた第２の編集アプリケーション」、「第２の編集アプリケーションが設けられたコンピュータが当該ラベルプリンタに接続されて印刷が行なわれる場合には、前記第２の編集アプリケーションによって編集されたフォーマットのうち、罫線のイメージデータをビットマップデータとして展開し、テキスト形式のデータはＴｒｕｅＴｙｐｅフォントとしてデータを展開し、前記第２の編集アプリケーションを用いて、前記フォーマットをビットマップデータでラベル印刷用データとして前記ラベルプリンタに送ってラベルに印刷し」、「ラベルプリンタに設けた第１の編集アプリケーション」、「前記コンピュータが前記ラベルプリンタに接続されていない状態で印刷する場合には、前記第２の編集アプリケーションによって編集されたフォーマットの罫線のイメージデータと、前記テキスト形式のデータのテキストおよび位置のテキスト情報のデータを記憶した記憶媒体を介して前記ラベルプリンタに送り、前記第１の編集アプリケーションを用いて前記イメージデータをビットマップデータとして展開し、前記テキスト情報のデータをビットマップフォントとしてデータを展開し、展開した前記ビットマップデータに前記ビットマップフォントを貼り付けて、ラベル印刷用のデータを作成することで、前記第２の編集アプリケーションで編集したフォーマットとほぼ同様のフォーマットでラベルに印刷する」及び「前記ラベルプリンタは前記記憶媒体から読み出したデータのうち、前記テキスト情報のデータのテキストの書き換え機能を有する」に相当するから、上記５からみて、引用発明において、上記相違点に係る本願発明の構成となすことは、当業者が、上記１の周知慣用技術、上記２の周知慣用技術及び上記４の周知技術に基づいて、容易になし得た程度のことである。
　
７　本願発明の奏する効果は、引用発明の奏する効果、上記１の周知慣用技術の奏する効果、上記２の周知慣用技術の奏する効果及び上記４の周知技術の奏する効果から、当業者が予測することができたものである。
　
８　まとめ
　以上のとおりであるから、本願発明は、当業者が、引用例に記載された発明、上記１の周知慣用技術、上記２の周知慣用技術及び上記４の周知技術に基づいて容易に発明をすることができたものである。
　
第６　むすび
　したがって、本願発明は、当業者が、引用例に記載された発明、周知慣用技術及び周知技術に基づいて容易に発明をすることができたものであるから、特許法第２９条第２項の規定により特許を受けることができない。
　よって、結論のとおり審決する。